(57)【要約】【課題】デジタルスチルカメラやビデオカメラ等に好適で、レンズ枚数が少なく、特に広角端で７５°以上の画角で、変倍比が１０倍程度のズームレンズ。【解決手段】物体側から順に、正の屈折力を有する第１レンズ群と、負の屈折力を有する第２レンズ群と、正の屈折力を有する第３レンズ群と、正の屈折力を有する第４レンズ群とから構成され、各レンズ群の間隔を変化させることにより変倍を行うズームレンズにおいて、  前記第１レンズ群は物体側から順に、負レンズと、正レンズとから成り、  前記第３レンズ群は物体側から順に、開口絞りと、両凸形状の正レンズと負レンズの接合レンズと、正レンズとから成ることを特徴とする。【選択図】図１
2012083526.tif 000002
【特許請求の範囲】
【請求項１】
物体側から順に、
正の屈折力を有する第１レンズ群と、
負の屈折力を有する第２レンズ群と、
正の屈折力を有する第３レンズ群と、
正の屈折力を有する第４レンズ群とから構成され、
各レンズ群の間隔を変化させることにより変倍を行うズームレンズにおいて、
前記第１レンズ群は物体側から順に、負レンズと、正レンズとから成り、
前記第３レンズ群は物体側から順に、開口絞りと、両凸形状の正レンズと負レンズの接合レンズと、正レンズとから成ることを特徴とするズームレンズ。
【請求項２】
物体側から順に、
正の屈折力を有する第１レンズ群と、
負の屈折力を有する第２レンズ群と、
正の屈折力を有する第３レンズ群と、
正の屈折力を有する第４レンズ群とから構成され、
各レンズ群間隔を変化させることにより変倍を行うズームレンズにおいて、
前記第３レンズ群は物体側から順に、開口絞りと、正レンズと負レンズの接合レンズと、正レンズとで構成され、
以下の条件式を満足することを特徴とするズームレンズ。
１．３＜（β２ｔ／β２ｗ）／（β３ｔ／β３ｗ）＜３．０
但し、
β２ｔ：前記第２レンズ群の望遠端における横倍率
β２ｗ：前記第２レンズ群の広角端における横倍率
β３ｔ：前記第３レンズ群の望遠端における横倍率
β３ｗ：前記第３レンズ群の広角端における横倍率
【請求項３】
以下の条件式を満足することを特徴とする請求項１又は請求項２に記載のズームレンズ。
０．５＜｜ｆ２ｇ｜／ｆ３ｇ＜０．８
但し、
ｆ２ｇ：前記第２レンズ群の合成焦点距離
ｆ３ｇ：前記第３レンズ群の合成焦点距離
【請求項４】
以下の条件式を満足することを特徴とする請求項１〜３の何れか１項に記載のズームレンズ。
０．５５＜ｆ３ｇ／（ｆｗ×ｆｔ）１／２＜０．９０
但し、
ｆｗ：広角端における全系の焦点距離
ｆｔ：望遠端における全系の焦点距離
【請求項５】
以下の条件式を満足することを特徴とする請求項１〜４の何れか１項に記載のズームレンズ。
０．３＜｜ｆ２ｇ｜／（ｆｗ×ｆｔ）１／２＜０．６
【請求項６】
以下の条件式を満足することを特徴とする請求項１〜５の何れか１項に記載のズームレンズ。
１．０＜ｆ１ｇ／（ｆｗ×ｆｔ）１／２＜４．０
但し、
ｆ１ｇ：前記第１レンズ群の合成焦点距離
【請求項７】
前記第３レンズ群は、物体側から順に、正レンズと負レンズの接合レンズから成る第３ａレンズ群と、正レンズの第３ｂレンズ群から構成され、以下の条件式を満足することを特徴とする請求項１〜６の何れか１項に記載のズームレンズ。
１．０＜ｆ３ｇｂ／ｆ３ｇａ
但し、
ｆ３ｇａ：前記第３ａレンズ群の合成焦点距離
ｆ３ｇｂ：前記第３ｂレンズ群の合成焦点距離
【請求項８】
以下の条件式を満足することを特徴とする請求項１〜７の何れか１項に記載のズームレンズ。
２５＜νｄ３ｇａ１−νｄ３ｇａ２＜４５
但し、
νｄ３ｇａ１：前記第３ａレンズ群中の正レンズのアッベ数
νｄ３ｇａ２：前記第３ａレンズ群中の負レンズのアッベ数
【請求項９】
前記第２レンズ群は物体側から順に、負レンズと、負レンズと、正レンズとから成ることを特徴とする請求項１〜８の何れか１項に記載のズームレンズ。
【請求項１０】
前記第３レンズ群の最も像側の正レンズはプラスチックレンズであって、少なくとも１面の非球面を有し、以下の条件式を満足することを特徴とする請求項１〜９の何れか１項に記載のズームレンズ。
５．０＜ｆ３ｇｂ／ｆ３ｇａ＜２０
【請求項１１】
前記第４レンズ群は、プラスチックから形成された１枚の正レンズから成り、少なくとも１面が非球面に形成されていることを特徴とする請求項１〜１０の何れか１項に記載のズームレンズ。
【請求項１２】
前記第１レンズ群は、少なくとも１面が非球面に形成されていることを特徴とする請求項１〜１１の何れか１項に記載のズームレンズ。
【請求項１３】
以下の条件式を満足することを特徴とする請求項１〜１２の何れか１項に記載のズームレンズ。
４０＜νｄ１ｇ２−νｄ１ｇ１
但し、
νｄ１ｇ１：前記第１レンズ群中の負レンズのアッベ数
νｄ１ｇ２：前記第１レンズ群中の正レンズのアッベ数
【請求項１４】
前記第２レンズ群の物体側から２番目の負レンズと最も像側の正レンズは以下の条件式を満足することを特徴とする請求項１〜１３の何れか１項に記載のズームレンズ。
２０＜νｄ２ｇ２−νｄ２ｇ３
但し、
νｄ２ｇ２：前記第２レンズ群の物体側から２番目の負レンズのアッベ数
νｄ２ｇ３：前記第２レンズ群の最も像側の正レンズのアッベ数
【請求項１５】
以下の条件式を満足することを特徴とする請求項１〜１４の何れか１項に記載のズームレンズ。
０．３８＜｜ｆ２ｇ｜／（ｆｗ×ｆｔ）１／２＜０．５３
【請求項１６】
以下の条件式を満足することを特徴とする請求項１〜１５の何れか１項に記載のズームレンズ。
２．０＜ｆ１ｇ／（ｆｗ×ｆｔ）１／２＜２．７
【発明の詳細な説明】
【技術分野】
【０００１】
本発明は、ＣＣＤ（電荷結合素子）やＣＭＯＳ（相補型金属酸化物半導体）を用いたデジタルスチルカメラやビデオカメラ等に好適で、１０倍程度の変倍比と広画角を有するコンパクトなズームレンズに関する。
【背景技術】
【０００２】
近年、ＣＣＤやＣＭＯＳ等の撮像素子の高集積化、小型化が図られてきており、これに伴ってＣＣＤやＣＭＯＳを用いたデジタルスチルカメラやビデオカメラ等の撮像装置においては、高機能化と共に装置全体としての小型化が求められている。
【０００３】
また、デジタルスチルカメラは、その一般化に伴い使用される場面も広がってきている。このため、デジタルスチルカメラは携帯性の向上、即ち小型化及び軽量化が図られている。
【０００４】
更に、デジタルスチルカメラの高変倍化や広画角化は撮影の自由度を高め、例えば被写体により近づいた撮影が可能となることや、室内等のように被写体位置が近い場所においても広範囲の撮影が可能となる等の利点がある。
【０００５】
これらのデジタルスチルカメラやビデオカメラ等に好適な、コンパクトで高変倍なズームレンズとして、物体側より順に正負正正の屈折力を有したレンズ群より構成され、各レンズ群間隔を変化させて変倍を行う４群ズームレンズが知られている。
【先行技術文献】
【特許文献】
【０００６】
【特許文献１】特開２００５−１６４９０５号公報
【特許文献２】特開２００８−３０９９９３号公報
【特許文献３】特開２００９−０２５３６６号公報
【特許文献４】特開２０１０−１３４１０８号公報
【発明の概要】
【発明が解決しようとする課題】
【０００７】
しかしながら、特許文献１では、変倍を主に第３群が担うため、高変倍を得るには第３群を大きく移動させなくてはならず、全長が拡大し、これにより前玉径も大きくなってしまい、それゆえに装置の大型化を招く。
【０００８】
特許文献２では、簡素なレンズ構成になっているが、広角端の画角が５０°〜６０°と小さく、変倍比も４．７倍程度と小さいものとなっている。更に、広角端から望遠端への変倍の際に第１レンズ群を大きく物体側に移動させるため、レンズ全長が長くなり、それゆえに装置が大型化する。
【０００９】
特許文献３では、変倍比１０倍程度で良好な光学性能を実現しているが、広角端の画角が６０°前後と小さくなっている。また、高変倍比と良好な光学性能を得るためにレンズ枚数が多くなっており、高コストとなっている。
【００１０】
特許文献４では、変倍比１０倍程度で広角端の画角が８０°程度になっているが、絞りを移動させているため可動部品を増やすことになり、そのために可動群を移動させる手段が必要になって装置が大型化する。
【００１１】
本発明はかかる問題に鑑みてなされたものであり、デジタルスチルカメラやビデオカメラ等に好適で、レンズ枚数が少なく、特に広角端で７５°以上の画角で、変倍比が１０倍程度のズームレンズを提供することを目的とする。
【課題を解決するための手段】
【００１２】
上記目的は下記に記載した発明により達成される。
【００１３】
１．物体側から順に、
正の屈折力を有する第１レンズ群と、
負の屈折力を有する第２レンズ群と、
正の屈折力を有する第３レンズ群と、
正の屈折力を有する第４レンズ群とから構成され、
各レンズ群の間隔を変化させることにより変倍を行うズームレンズにおいて、
前記第１レンズ群は物体側から順に、負レンズと、正レンズとから成り、
前記第３レンズ群は物体側から順に、開口絞りと、両凸形状の正レンズと負レンズの接合レンズと、正レンズとから成ることを特徴とするズームレンズ。
【００１４】
２．物体側から順に、
正の屈折力を有する第１レンズ群と、
負の屈折力を有する第２レンズ群と、
正の屈折力を有する第３レンズ群と、
正の屈折力を有する第４レンズ群とから構成され、
各レンズ群間隔を変化させることにより変倍を行うズームレンズにおいて、
前記第３レンズ群は物体側から順に、開口絞りと、正レンズと負レンズの接合レンズと、正レンズとで構成され、
以下の条件式を満足することを特徴とするズームレンズ。
【００１５】
１．３＜（β２ｔ／β２ｗ）／（β３ｔ／β３ｗ）＜３．０        （１）
但し、
β２ｔ：前記第２レンズ群の望遠端における横倍率
β２ｗ：前記第２レンズ群の広角端における横倍率
β３ｔ：前記第３レンズ群の望遠端における横倍率
β３ｗ：前記第３レンズ群の広角端における横倍率
３．以下の条件式を満足することを特徴とする前記１又は前記２に記載のズームレンズ。
【００１６】
０．５＜｜ｆ２ｇ｜／ｆ３ｇ＜０．８                            （２）
但し、
ｆ２ｇ：前記第２レンズ群の合成焦点距離
ｆ３ｇ：前記第３レンズ群の合成焦点距離
４．以下の条件式を満足することを特徴とする前記１〜３の何れか１項に記載のズームレンズ。
【００１７】
０．５５＜ｆ３ｇ／（ｆｗ×ｆｔ）１／２＜０．９０                （３）
但し、
ｆｗ：広角端における全系の焦点距離
ｆｔ：望遠端における全系の焦点距離
５．以下の条件式を満足することを特徴とする前記１〜４の何れか１項に記載のズームレンズ。
【００１８】
０．３＜｜ｆ２ｇ｜／（ｆｗ×ｆｔ）１／２＜０．６                （４）
６．以下の条件式を満足することを特徴とする前記１〜５の何れか１項に記載のズームレンズ。
【００１９】
１．０＜ｆ１ｇ／（ｆｗ×ｆｔ）１／２＜４．０                    （５）
但し、
ｆ１ｇ：前記第１レンズ群の合成焦点距離
７．前記第３レンズ群は、物体側から順に、正レンズと負レンズの接合レンズから成る第３ａレンズ群と、正レンズの第３ｂレンズ群から構成され、以下の条件式を満足することを特徴とする前記１〜６の何れか１項に記載のズームレンズ。
【００２０】
１．０＜ｆ３ｇｂ／ｆ３ｇａ                                    （６）
但し、
ｆ３ｇａ：前記第３ａレンズ群の合成焦点距離
ｆ３ｇｂ：前記第３ｂレンズ群の合成焦点距離
８．以下の条件式を満足することを特徴とする前記１〜７の何れか１項に記載のズームレンズ。
【００２１】
２５＜νｄ３ｇａ１−νｄ３ｇａ２＜４５                        （７）
但し、
νｄ３ｇａ１：前記第３ａレンズ群中の正レンズのアッベ数
νｄ３ｇａ２：前記第３ａレンズ群中の負レンズのアッベ数
９．前記第２レンズ群は物体側から順に、負レンズと、負レンズと、正レンズとから成ることを特徴とする前記１〜８の何れか１項に記載のズームレンズ。
【００２２】
１０．前記第３レンズ群の最も像側の正レンズはプラスチックレンズであって、少なくとも１面の非球面を有し、以下の条件式を満足することを特徴とする前記１〜９の何れか１項に記載のズームレンズ。
【００２３】
５．０＜ｆ３ｇｂ／ｆ３ｇａ＜２０                              （８）
１１．前記第４レンズ群は、プラスチックから形成された１枚の正レンズから成り、少なくとも１面が非球面に形成されていることを特徴とする前記１〜１０の何れか１項に記載のズームレンズ。
【００２４】
１２．前記第１レンズ群は、少なくとも１面が非球面に形成されていることを特徴とする前記１〜１１の何れか１項に記載のズームレンズ。
【００２５】
１３．以下の条件式を満足することを特徴とする前記１〜１２の何れか１項に記載のズームレンズ。
【００２６】
４０＜νｄ１ｇ２−νｄ１ｇ１                                  （９）
但し、
νｄ１ｇ１：前記第１レンズ群中の負レンズのアッベ数
νｄ１ｇ２：前記第１レンズ群中の正レンズのアッベ数
１４．前記第２レンズ群の物体側から２番目の負レンズと最も像側の正レンズは以下の条件式を満足することを特徴とする前記１〜１３の何れか１項に記載のズームレンズ。
【００２７】
２０＜νｄ２ｇ２−νｄ２ｇ３                                  （１０）
但し、
νｄ２ｇ２：前記第２レンズ群の物体側から２番目の負レンズのアッベ数
νｄ２ｇ３：前記第２レンズ群の最も像側の正レンズのアッベ数
１５．以下の条件式を満足することを特徴とする前記１〜１４の何れか１項に記載のズームレンズ。
【００２８】
０．３８＜｜ｆ２ｇ｜／（ｆｗ×ｆｔ）１／２＜０．５３            （１１）
１６．以下の条件式を満足することを特徴とする前記１〜１５の何れか１項に記載のズームレンズ。
【００２９】
２．０＜ｆ１ｇ／（ｆｗ×ｆｔ）１／２＜２．７                    （１２）
【発明の効果】
【００３０】
請求項１の効果
本発明のズームレンズにおいては、レンズ全系を物体側から順に正の第１レンズ群と、負の第２レンズ群と、正の第３レンズ群と、正の第４レンズ群とから構成することで、１０倍以上の高変倍で良好な光学性能を得ることができる。更に、各レンズ群の空気間隔を変化させるように、各レンズ群を光軸方向に移動して変倍及び焦点位置変化補正を行うことにより、収差補正の自由度が増え、良好な性能を維持しながら、全長及び前玉系のコンパクト化を実現できる。
【００３１】
第１レンズ群を、物体側から順に負レンズと正レンズの構成にすることにより、第１レンズ群で発生する軸上色収差や倍率色収差を十分に補正することができる。なお、従来の第１レンズ群が負レンズ１枚と正レンズ２枚の３枚から成る構成に比べ、第１レンズ群を薄くでき、軸外光束をより低い位置で通過させることができるため前玉系を小径化することができる。更に、第１レンズ群を負レンズと正レンズの２枚構成にすることにより、第１レンズ群を軽量化することができ、変倍時の駆動機構に与える負荷を小さくすることができる。
【００３２】
また、第３レンズ群に物体側から順に開口絞りと、両凸形状の正レンズと負レンズの接合レンズと、正レンズとを配置することで、射出瞳位置を撮像素子から遠ざけることができるので、撮像素子がＣＣＤやＣＭＯＳの場合に必要となってくるテレセントリック性を確保し易くなり、さらに前玉系と後玉系の小径化を実現することができる。また、第３レンズ群に両凸形状の正レンズと負レンズの接合レンズを配置することにより、軸上色収差や球面収差の発生を抑えることができ、接合レンズの像側に正レンズを配置することにより、第３レンズ群で発生するコマ収差や非点収差を小さく抑えることができる。
【００３３】
請求項２の効果
本発明のズームレンズにおいては、レンズ全系を物体側から順に正の第１レンズ群と、負の第２レンズ群と、正の第３レンズ群と、正の第４レンズ群とから構成することで、１０倍以上の高変倍で良好な光学性能を得ることができる。更に、各レンズ群の空気間隔を変化させるように、各レンズ群を光軸方向に移動して変倍及び焦点位置変化補正を行うことにより、収差補正の自由度が増え、良好な性能を維持しながら、全長及び前玉系のコンパクト化を実現できる。
【００３４】
また、第３レンズ群に物体側から順に開口絞りと、正レンズと負レンズの接合レンズと、正レンズとを配置することで、射出瞳位置を撮像素子から遠ざけることができるので、撮像素子がＣＣＤやＣＭＯＳの場合に必要となってくるテレセントリック性を確保し易くなり、更に前玉系と後玉系の小径化を実現することができる。また、物体側から順に、第３ａレンズ群に正負の接合レンズと正レンズを配置することにより、軸上色収差や球面収差を抑えることができ、接合レンズの像側に正レンズを配置することにより、第３レンズ群で発生するコマ収差や非点収差を小さく抑えることができる。
【００３５】
また、条件式（１）の上限を上回ると、第２レンズ群における望遠端と広角端の横倍率の比が大きくなるため、第２レンズ群のパワーが強くなり、組み立て時の組み立て誤差に対する収差変動が大きくなってしまう。条件式（１）が下限を下回ると、第３レンズ群のパワーが大きくなるため、第３レンズ群の誤差感度が大きくなってしまう。一方、条件式（１）を満たすことにより、光学系を小型化し、量産性を向上させることができる。
【００３６】
請求項３の効果
条件式（２）の上限を上回ると、第２レンズ群のパワーが弱くなり、変倍を確保するために第２レンズ群の移動量が大きくなるため全長が大型化する。条件式（２）の下限を下回ると、第２レンズ群のパワーが強くなり過ぎ、第２レンズ群で発生するコマ収差、非点収差、像面湾曲等を抑えることができなくなる。また、パワーが強くなることにより誤差変動に対する収差変動が大きくなるため、良好な光学性能を確保することが困難となり、量産性が悪化する。一方、条件式（２）を満たすことにより、光学系の小型化と良好な光学性能を確保することができ、量産性を向上させることもできる。
【００３７】
請求項４の効果
条件式（３）が上限を上回ると、第３レンズ群のパワーが弱くなり過ぎ、変倍を確保するために第３レンズ群の移動量が大きくなるため全長が大型化する。条件式（３）の下限を下回ると、第３レンズ群のパワーが強くなり過ぎ、球面収差やコマ収差が悪化する。また、誤差変動や形状誤差に対する収差変動が大きくなり、量産性が損なわれる。一方、条件式（３）を満たすことによって、光学系の小型化と良好な光学性能を確保することができ、量産性を向上させることもできる。
【００３８】
請求項５の効果
条件式（４）の上限を上回ると、第２レンズ群のパワーが弱くなり、変倍を確保するために第２レンズ群の移動量が大きくなるので、全長が大型化する。条件式（４）の値が下限を下回ると、第２レンズ群のパワーが強くなり過ぎ、第２レンズ群で発生するコマ収差や像面湾曲等が大きくなるだけでなく、誤差変動や形状誤差に対する収差変動が大きくなり、量産性が損なわれる。一方、条件式（４）を満たすことにより、光学系の小型化と良好な光学性能を確保することができ、量産性を向上させることもできる。
【００３９】
請求項６の効果
条件式（５）の上限を上回ると、第１レンズ群のパワーが弱くなり過ぎ、全長と有効径が大型化する。条件式（５）の下限を下回ると、第１レンズ群のパワーが強くなり過ぎ、主に広角端におけるコマ収差等の軸外収差の補正が困難となる。条件式（５）を満たすことにより、光学系の小型化と良好な光学性能を確保することができる。
【００４０】
請求項７の効果
条件式（６）の下限を下回ると、第３ｂレンズ群のパワーが強くなり、第３レンズ群の主点位置がより像側に配置される。このため、第１レンズ群から第３レンズ群で構成される光学系のバックフォーカスが長くなり、光学系が大型化する。条件式（６）を満たすことにより、光学系の小型化と良好な光学性能を確保することができる。
【００４１】
請求項８の効果
条件式（７）の上限を上回ると、ｄ線に対してｇ線がよりオーバーになるような軸上色収差となる。また、条件式（７）の下限を下回ると、その逆となり、やはり好ましくない。一方。条件式（７）を満たすことにより、第３レンズ群で発生する色収差を良好に補正することができる。
【００４２】
請求項９の効果
第２レンズ群を物体側から順に、負レンズ、負レンズ、正レンズの構成にすることにより、像面湾曲、歪曲収差、倍率色収差を良好に補正することができる。
【００４３】
なお、第２レンズ群を物体側から順に負レンズ、負レンズと正レンズの接合レンズにすることが更に望ましい。負レンズ、負レンズ、正レンズの単レンズによる構成の場合、群要素が３つとなり、鏡胴への組み込み時のレンズ間隔誤差や偏心誤差要因が増え、生産性が低下する。しかし、負レンズ、負レンズと正レンズの接合レンズとすることで群要素を２つに減らすことができ、鏡胴への組み込み時のレンズ間隔誤差や偏心誤差要因を減らせることができ、生産性の向上を図ることができる。
【００４４】
請求項１０の効果
第３レンズ群の最も像側のレンズをプラスチックレンズにすることにより、ガラスレンズを使用したときと比べ、低コスト化を達成することができる。また、開口絞りから離れたところに位置している第３レンズ群の最も像側のプラスチックレンズの、少なくとも１面を非球面にすることによりコマ収差や非点収差を良好に補正することができる。また、条件式（８）の上限を上回ると、第３ｂレンズ群のパワーが弱くなり過ぎ、第３ａレンズ群で発生したコマ収差や非点収差を補正することが困難となる。条件式（８）の下限を下回ると、第３ｂレンズ群のパワーが強くなり、第３レンズ群の主点位置がより像側に配置される。このため、第１レンズ群から第３レンズ群で構成される光学系のバックフォーカスが長くなり、光学系が大型化する。条件式（８）を満たすことによって、光学系の小型化と良好な光学性能を確保することができる。
【００４５】
請求項１１の効果
第４レンズ群をプラスチックレンズにすることにより、ガラスレンズを使用したときと比べ、低コスト化を達成することができる。
【００４６】
また、４群タイプのズームレンズでは第４レンズ群以降にパワーを持った光学素子が存在しないので、第４レンズ群で発生する収差はその後の光線経路においては、拡大されず目立ち難い。従って、屈折率の低いプラスチックレンズで構成しても、温度変化による光学性能の劣化が少なく、全レンズ系の光学性能へ与える影響が小さい。
【００４７】
また、レンズ枚数を正レンズ１枚にすることにより複数のレンズを使用したときと比べ、低コスト化になる。更に、少なくとも１面を非球面に形成することで軸外光束に対する歪曲収差等を補正することができる。
【００４８】
また、無限遠物体から近距離物体へのフォーカシングの際には、第４レンズ群を移動させることが更に望ましい。第１レンズ群によりフォーカシングを行うと、近距離物体への合焦で第１レンズ群を繰り出した際に、周辺光量を確保するために前玉径が大きくなり、全長が大型化する。第４レンズ群によるフォーカシングではこのようなことがないため、小型化に有利である。また、第４レンズ群を可動させる際の、駆動機構への負荷が小さくなるため、電力消費量が少ない簡素な構成のズームレンズを実現することができる。
【００４９】
請求項１２の効果
第１レンズ群は、軸外光束の光線通過位置が広角端から望遠端にかけて大きく変化するためコマ収差が大きく発生する。特に高変倍のズームレンズでは光線経路の変化が大きいためコマ収差を補正することが困難になるが、少なくとも１面を非球面に形成することで変倍時の収差補正を良好に行うことができる。
【００５０】
請求項１３の効果
条件式（９）の下限を下回ると、良好な色収差の補正が困難となる。具体的には、ｄ線に対してｇ線がよりアンダーになるような軸上色収差となり、ｄ線に対してｇ線がより高い像高になるような倍率色収差が発生する。一方、条件式（９）を満たすことにより、第１レンズ群で発生する色収差を良好に補正することができる。
【００５１】
請求項１４の効果
条件式（１０）の上限を下回ると、良好な色収差の補正が困難となる。具体的には、ｄ線に対してｇ線がよりオーバーになるような軸上色収差となり、ｄ線に対してｇ線がより低い像高になるような倍率色収差が発生する。一方、条件式（１０）を満たすことにより、第２レンズ群で発生する色収差を良好に補正することができる。
【００５２】
請求項１５の効果
条件式（１１）は条件式（４）を更に限定した条件式であり、効果は請求項５と同様である。
【００５３】
請求項１６の効果
条件式（１２）は条件式（５）を更に限定した条件式であり、効果は請求項６と同様である。
【図面の簡単な説明】
【００５４】
【図１】実施例１のズームレンズのレンズ断面図である。
【図２】実施例１のズームレンズの広角端における収差図である。
【図３】実施例１のズームレンズの中間焦点距離における収差図である。
【図４】実施例１のズームレンズの望遠端における収差図である。
【図５】実施例２のズームレンズのレンズ断面図である。
【図６】実施例２のズームレンズの広角端における収差図である。
【図７】実施例２のズームレンズの中間焦点距離における収差図である。
【図８】実施例２のズームレンズの望遠端における収差図である。
【図９】実施例３のズームレンズのレンズ断面図である。
【図１０】実施例３のズームレンズの広角端における収差図である。
【図１１】実施例３のズームレンズの中間焦点距離における収差図である。
【図１２】実施例３のズームレンズの望遠端における収差図である。
【図１３】実施例４のズームレンズのレンズ断面図である。
【図１４】実施例４のズームレンズの広角端における収差図である。
【図１５】実施例４のズームレンズの中間焦点距離における収差図である。
【図１６】実施例４のズームレンズの望遠端における収差図である。
【図１７】実施例５のズームレンズのレンズ断面図である。
【図１８】実施例５のズームレンズの広角端における収差図である。
【図１９】実施例５のズームレンズの中間焦点距離における収差図である。
【図２０】実施例５のズームレンズの望遠端における収差図である。
【図２１】実施例６のズームレンズのレンズ断面図である。
【図２２】実施例６のズームレンズの広角端における収差図である。
【図２３】実施例６のズームレンズの中間焦点距離における収差図である。
【図２４】実施例６のズームレンズの望遠端における収差図である。
【実施例】
【００５５】
以下に本発明のズームレンズの実施例を示す。各実施例に使用する記号は下記の通りである。
【００５６】
ｆ：撮像レンズ全系の焦点距離
Ｆ：Ｆナンバー
ｆＢ：バックフォーカス（最後部に位置する平行平板の後面から撮像面までの距離）
２ω：画角
Ｒ：曲率半径
Ｄ：軸上面間隔
Ｎｄ：レンズ材料のｄ線に対する屈折率
νｄ：レンズ材料のアッベ数
Ｌ：レンズ全長
また、各実施例において、各面番号の後に（＊）が記載されている面が非球面形状を有する面であり、非球面の形状は、面の頂点を原点とし、光軸方向にＸ軸を取り、光軸と垂直方向の高さをｈとして以下の数１で表す。
【００５７】
【数１】
2012083526.tif 000003
【００５８】
但し、
Ａｉ：ｉ次の非球面係数
Ｋ：円錐定数
非球面係数においては、１０のべき乗数（例えば２．５×１０−０２）をＥ（例えば２．５Ｅ−０２）を用いて表す。
［実施例１］
・全体諸元を以下に示す。
【００５９】
ｆ      ４．７〜１４．５〜４４．７
Ｆ      ３．４８〜４．６５〜５．８１
ｆＢ    １．００１
２ω    ８１°〜３１°〜１０°
・レンズ面データを以下に示す。
面番号         R(mm)          D(mm)          Nd          νd
１          15.623          0.70        1.92286        20.8
２          13.481          0.01        1.514          42.8
３          13.481          3.90        1.496997       81.6
４(＊)    -111.308           d1
５        -119.829          0.70        1.903658       31.3
６           6.002          2.96
７         -23.074          0.55        1.516798       64.1
８           7.351          0.01        1.514          42.8
９           7.351          1.77        1.92286        20.8
10          28.344          d2
11(絞り)     無限          0.50
12           3.980          4.11        1.516798       64.1
13         -10.000          0.01        1.514          42.8
14         -10.000          0.50        1.805181       25.4
15          25.752          0.53
16(＊)       7.854          1.03        1.903658      31.3
17(＊)       7.493           d3
18(＊)      59.997          1.36        1.496997      81.6
19(＊)     -21.451           d4
20           無限           1.50        1.5168         64.2
21           無限            fB
・非球面係数を以下に示す。
第４面
K=0,A4=0.2099E-04,A6=-0.1023E-07,A8=-0.4469E-09,A10=0.5242E-11,A12=-0.2257E-13
第16面
K=0.0000,A4=-0.6147E-02,A6=-0.7521E-03,A8=0.1299E-04,A10=-0.8256E-05
第17面
K=0,A4=-0.4454E-02,A6=-0.6724E-03,A8=0.3996E-04
第18面
K=0,A4=-0.1158E-02,A6=0.3294E-04,A8=-0.4467E-05
第19面
K=0,A4=-0.1110E-02,A6=0.2548E-04,A8=-0.3541E-05,A10=0.1106E-07
・変倍時の各種データを以下に示す。
【００６０】
f          Fno          d1          d2          d3          d4
4.70        3.48        0.60       16.60        3.89        3.09
14.49        4.65        6.99        4.97        2.65        9.58
44.66        5.81      15.58        1.08       13.05        4.14
・レンズ群データを以下に示す。
レンズ群      始面      焦点距離(mm)
１           1          31.02
２           5          -6.26
３          11          10.10
４          18          31.88
・前述の各条件式に対応する値を以下に示す。
【００６１】
条件式（１）＝1.30
条件式（２）＝0.62
条件式（３）＝0.70
条件式（４）＝0.43
条件式（５）＝2.14
条件式（６）＝45.89
条件式（７）＝38.74
条件式（８）＝45.89
条件式（９）＝60.73
条件式（10）＝43.32
条件式（11）＝0.43
図１は実施例１のズームレンズの断面図であり、（Ａ）は広角端における断面図、（Ｂ）は中間焦点距離における断面図、（Ｃ）は望遠端における断面図である。本ズームレンズは正の屈折力を有する第１レンズ群Ｌ１、負の屈折力を有する第２レンズ群Ｌ２、正の屈折力を有する第３レンズ群Ｌ３及び正の屈折力を有する第４レンズ群Ｌ４から構成される。また、第３レンズ群Ｌ３は正レンズと負レンズの接合レンズである第３ａレンズ群、及び正レンズの第３ｂレンズ群から成る。Ｓは開口絞り、Ｆは光学的ローパスフィルター、ＩＲカットフィルタ若しくは固体撮像素子のシールガラス等を想定した平行平板、Ｉは撮像面である。
【００６２】
図２は実施例１のズームレンズの広角端における収差図（球面収差、非点収差、歪曲収差）、図３は実施例１のズームレンズの中間焦点距離における収差図（球面収差、非点収差、歪曲収差）、図３は実施例１のズームレンズの望遠端における収差図（球面収差、非点収差、歪曲収差）である。
［実施例２］
・全体諸元を以下に示す。
【００６３】
ｆ      ４．７〜１４．５〜４４．７
Ｆ      ３．４２〜４．４７〜５．７２
ｆＢ    １．００１
２ω    ８１°〜３１°〜１０°
・レンズ面データを以下に示す。
面番号         R(mm)          D(mm)          Nd          νd
１          16.003          0.70        1.846663       23.7
２          13.434          0.01        1.514          42.8
３          13.434          4.71        1.496997       81.6
４(＊)    -128.866           d1
５        -179.392          0.70        1.883          40.8
６           6.275          3.13
７         -33.570          0.55        1.548137       45.8
８           7.482          0.01        1.514          42.8
９           7.482          2.64        1.92286        20.8
10          27.448          d2
11(絞り)     無限          0.50
12           5.216          2.01        1.72916        54.6
13         -23.471          0.01        1.514          42.8
14         -23.471          0.50        1.784719       25.7
15           9.538          1.15
16(＊)      41.220          1.00        1.883          40.8
17(＊)     123.180           d3
18(＊)      12.598          1.81        1.496997      81.6
19(＊)    -101.438           d4
20           無限           1.50        1.5168         64.2
21           無限            fB
・非球面係数を以下に示す。
第４面
A4=0.1895E-04,A6=-0.5322E-08,A8=-0.5387E-09,A10=0.7504E-11,A12=-0.3565E-13
第16面
A4=-0.4268E-03,A6=0.6707E-04,A8=0.4144E-05,A10=-0.1379E-06
第17面
K=0,A4=0.8274E-03,A6=0.9818E-04,A8=0.9399E-05
第18面
K=0,A4=-0.7986E-04,A6=-0.2982E-04,A8=-0.3121E-06
第19面
K=0,A4=0.4390E-04,A6=-0.5332E-04,A8=0.3530E-06,A10=-0.4469E-09
・変倍時の各種データを以下に示す。
【００６４】
f          Fno          d1          d2          d3          d4
4.70        3.42        0.60       14.84        1.03        6.44
14.49        4.47        7.44        3.34        1.61      10.84
44.66        5.72      16.81        1.14       16.03        3.09
・レンズ群データを以下に示す。
レンズ群      始面      焦点距離(mm)
１           1          32.39
２           5          -6.71
３          11          12.10
４          18          22.60
・前述の各条件式に対応する値を以下に示す。
【００６５】
条件式（１）＝2.50
条件式（２）＝0.55
条件式（３）＝0.84
条件式（４）＝0.46
条件式（５）＝2.24
条件式（６）＝5.00
条件式（７）＝28.95
条件式（８）＝5.00
条件式（９）＝57.82
条件式（10）＝24.94
条件式（11）＝0.46
図５は実施例２のズームレンズの断面図であり、（Ａ）は広角端における断面図、（Ｂ）は中間焦点距離における断面図、（Ｃ）は望遠端における断面図である。本ズームレンズは正の屈折力を有する第１レンズ群Ｌ１、負の屈折力を有する第２レンズ群Ｌ２、正の屈折力を有する第３レンズ群Ｌ３及び正の屈折力を有する第４レンズ群Ｌ４から構成される。また、第３レンズ群Ｌ３は正レンズと負レンズの接合レンズである第３ａレンズ群、及び正レンズの第３ｂレンズ群から成る。Ｓは開口絞り、Ｆは光学的ローパスフィルター、ＩＲカットフィルタ若しくは固体撮像素子のシールガラス等を想定した平行平板、Ｉは撮像面である。
【００６６】
図６は実施例２のズームレンズの広角端における収差図（球面収差、非点収差、歪曲収差）、図７は実施例２のズームレンズの中間焦点距離における収差図（球面収差、非点収差、歪曲収差）、図８は実施例２のズームレンズの望遠端における収差図（球面収差、非点収差、歪曲収差）である。
［実施例３］
・全体諸元を以下に示す。
【００６７】
ｆ      ４．７〜１４．５〜４４．７
Ｆ      ３．５１〜４．５４〜５．８６
ｆＢ    １．００１
２ω    ８１°〜３１°〜１０°
・レンズ面データを以下に示す。
面番号         R(mm)          D(mm)          Nd          νd
１          15.706          0.70        1.846663       23.7
２          13.402          0.01        1.514          42.8
３          13.402          4.71        1.496997       81.6
４(＊)    -117.677           d1
５        -135.042          0.70        1.903658       31.3
６           6.583          3.00
７         -25.439          0.55        1.620409       60.3
８           7.712          0.01        1.514          42.8
９           7.712          1.91        1.92286        20.8
10          50.556        15.09
11(絞り)     無限          0.50
12           4.012          3.43        1.56384        60.8
13         -25.477          0.01        1.514          42.8
14         -25.477          0.80        1.846663       23.7
15           8.969          0.53
16(＊)       7.087          1.00        1.903658      31.3
17(＊)       7.008           d3
18(＊)      12.384          2.14        1.72916        54.6
19(＊)     -62.324           d4
20           無限           1.50        1.5168         64.2
21           無限            fB
・非球面係数を以下に示す。
第４面
A4=0.2217E-04,A6=-0.1244E-07,A8=-0.4200E-09,A10=0.5513E-11,A12=-0.2452E-13
第16面
A4=-0.6004E-02,A6=-0.5872E-03,A8=0.1290E-04,A10=-0.9190E-05
第17面
K=0,A4=-0.4024E-02,A6=-0.4162E-03,A8=0.2001E-04
第18面
K=0,A4=-0.1659E-03,A6=-0.1428E-04,A8=-0.9612E-07
第19面
K=0,A4=-0.1332E-03,A6=-0.3142E-04,A8=0.6768E-06,A10=-0.8926E-08
・変倍時の各種データを以下に示す。
【００６８】
f          Fno          d1          d2          d3          d4
4.70        3.51        0.60       15.09        1.19        4.69
14.49        4.54        7.67        3.96        1.76        8.68
44.66        5.86      16.36        2.18       14.66        3.00
・レンズ群データを以下に示す。
レンズ群      始面      焦点距離(mm)
１           1          31.10
２           5          -6.66
３          11          12.16
４          18          14.28
・前述の各条件式に対応する値を以下に示す。
【００６９】
条件式（１）＝2.97
条件式（２）＝0.55
条件式（３）＝0.70
条件式（４）＝0.46
条件式（５）＝2.15
条件式（６）＝10.14
条件式（７）＝37.04
条件式（８）＝10.14
条件式（９）＝57.82
条件式（10）＝39.46
条件式（11）＝0.46
図９は実施例３のズームレンズの断面図であり、（Ａ）は広角端における断面図、（Ｂ）は中間焦点距離における断面図、（Ｃ）は望遠端における断面図である。本ズームレンズは正の屈折力を有する第１レンズ群Ｌ１、負の屈折力を有する第２レンズ群Ｌ２、正の屈折力を有する第３レンズ群Ｌ３及び正の屈折力を有する第４レンズ群Ｌ４から構成される。また、第３レンズ群Ｌ３は正レンズと負レンズの接合レンズである第３ａレンズ群、及び正レンズの第３ｂレンズ群から成る。Ｓは開口絞り、Ｆは光学的ローパスフィルター、ＩＲカットフィルタ若しくは固体撮像素子のシールガラス等を想定した平行平板、Ｉは撮像面である。
【００７０】
図１０は実施例３のズームレンズの広角端における収差図（球面収差、非点収差、歪曲収差）、図１１は実施例３のズームレンズの中間焦点距離における収差図（球面収差、非点収差、歪曲収差）、図１２は実施例３のズームレンズの望遠端における収差図（球面収差、非点収差、歪曲収差）である。
［実施例４］
・全体諸元を以下に示す。
【００７１】
ｆ      ４．６〜１４．２〜４３．７
Ｆ      ３．４３〜４．７３〜５．８３
ｆＢ    １．００１
２ω    ８２°〜３２°〜１１°
・レンズ面データを以下に示す。
面番号         R(mm)          D(mm)          Nd          νd
１          18.677          0.70        1.92286        20.8
２          16.177          0.01        1.514          42.8
３          16.177          3.73        1.496997       81.6
４(＊)    -128.626           d1
５        -159.422          0.70        1.903658       31.3
６           7.081          3.65
７         -22.000          0.55        1.496997       81.6
８           9.491          0.01        1.514          42.8
９           9.491          1.73        1.92286        20.8
10          39.717          d2
11(絞り)     無限          0.50
12           4.356          4.60        1.617998       63.3
13          -6.165          0.01        1.514          42.8
14          -6.165          0.50        1.903658       31.3
15          18.318          0.73
16(＊)       6.021          1.03        1.883          40.8
17(＊)       5.631           d3
18(＊)      11.817          1.55        1.496997      81.6
19(＊)     415.766           d4
20           無限           1.50        1.5168         64.2
21           無限            fB
・非球面係数を以下に示す。
第４面
A4=0.1065E-04,A6=0.2877E-07,A8=-0.9368E-09,A10=0.1076E-10,A12=-0.4761E-13
第16面
A4=-0.5804E-02,A6=-0.7991E-03,A8=0.1242E-04,A10=-0.7317E-05
第17面
K=0,A4=-0.4181E-02,A6=-0.8608E-03,A8=0.4796E-04
第18面
K=0,A4=-0.6299E-03,A6=0.6833E-04,A8=-0.2418E-05
第19面
K=0,A4=-0.7350E-03,A6=0.6507E-04,A8=-0.1989E-05,A10=-0.1485E-07
・変倍時の各種データを以下に示す。
【００７２】
f          Fno          d1          d2          d3          d4
4.60        3.43        0.63       18.04        2.23        3.11
14.17        4.73        8.04        5.15        2.61        7.89
43.73        5.83      19.13        1.05       11.68        3.64
・レンズ群データを以下に示す。
レンズ群      始面      焦点距離(mm)
１           1          36.83
２           5          -7.37
３          11          10.53
４          18          24.37
・前述の各条件式に対応する値を以下に示す。
【００７３】
条件式（１）＝1.34
条件式（２）＝0.70
条件式（３）＝0.74
条件式（４）＝0.52
条件式（５）＝2.60
条件式（６）＝35.16
条件式（７）＝32.08
条件式（８）＝35.16
条件式（９）＝60.73
条件式（10）＝60.73
条件式（11）＝0.52
図１３は実施例４のズームレンズの断面図であり、（Ａ）は広角端における断面図、（Ｂ）は中間焦点距離における断面図、（Ｃ）は望遠端における断面図である。本ズームレンズは正の屈折力を有する第１レンズ群Ｌ１、負の屈折力を有する第２レンズ群Ｌ２、正の屈折力を有する第３レンズ群Ｌ３及び正の屈折力を有する第４レンズ群Ｌ４から構成される。また、第３レンズ群Ｌ３は正レンズと負レンズの接合レンズである第３ａレンズ群、及び正レンズの第３ｂレンズ群から成る。Ｓは開口絞り、Ｆは光学的ローパスフィルター、ＩＲカットフィルタ若しくは固体撮像素子のシールガラス等を想定した平行平板、Ｉは撮像面である。
【００７４】
図１４は実施例４のズームレンズの広角端における収差図（球面収差、非点収差、歪曲収差）、図１５は実施例４のズームレンズの中間焦点距離における収差図（球面収差、非点収差、歪曲収差）、図１６は実施例４のズームレンズの望遠端における収差図（球面収差、非点収差、歪曲収差）である。
［実施例５］
・全体諸元を以下に示す。
【００７５】
ｆ      ４．７〜１４．５〜４４．７
Ｆ      ３．４７〜４．８３〜５．８２
ｆＢ    １．００１
２ω    ８１°〜３１°〜１０°
・レンズ面データを以下に示す。
面番号         R(mm)          D(mm)          Nd          νd
１          15.317          0.90        1.75211        25
２          12.345          0.01        1.514          42.8
３          12.345          3.78        1.495997       81.6
４(＊)     -95.512           d1
５         -80.980          0.70        1.903658       31.3
６           5.553          2.59
７         -26.327          0.55        1.487489       70.4
８           6.442          0.01        1.514          42.8
９           6.442          1.61        1.92286        20.8
10          19.596          d2
11(絞り)     無限          0.50
12           4.206          4.63        1.60625        63.7
13          -4.985          0.01        1.514          42.8
14          -4.985          0.50        1.903658       31.3
15          48.607          0.50
16(＊)       6.620          1.02        1.607          27.6
17(＊)       6.369           d3
18(＊)      17.653          2.22        1.53048        55.7
19(＊)     -34.576           d4
20           無限           1.50        1.5168         64.2
21           無限            fB
・非球面係数を以下に示す。
第４面
A4=0.2422E-04,A6=-0.5047E-07,A8=0.4064E-09,A10=-0.5999E-11,A12=0.3623E-13
第16面
A4=-0.7149E-02,A6=-0.9739E-03,A8=0.2329E-04,A10=-0.1000E-04
第17面
K=0,A4=-0.3853E-02,A6=-0.8762E-03,A8=0.5384E-04
第18面
K=0,A4=-0.6093E-03,A6=0.3127E-04,A8=-0.1646E-05
第19面
K=0,A4=-0.6924E-03,A6=0.1865E-04,A8=-0.8754E-06,A10=-0.8900E-08
・変倍時の各種データを以下に示す。
【００７６】
f          Fno          d1          d2          d3          d4
4.70        3.47        0.60       13.29        2.18        3.10
14.49        4.83        6.63        3.96        2.67        8.54
44.67        5.82      15.53        1.09       12.04        3.24
・レンズ群データを以下に示す。
レンズ群      始面      焦点距離(mm)
１           1          29.69
２           5          -5.74
３          11           9.43
４          18          22.26
・前述の各条件式に対応する値を以下に示す。
【００７７】
条件式（１）＝1.64
条件式（２）＝0.61
条件式（３）＝0.65
条件式（４）＝0.40
条件式（５）＝2.05
条件式（６）＝49.52
条件式（７）＝32.40
条件式（８）＝49.52
条件式（９）＝56.56
条件式（10）＝49.56
条件式（11）＝0.40
図１７は実施例５のズームレンズの断面図であり、（Ａ）は広角端における断面図、（Ｂ）は中間焦点距離における断面図、（Ｃ）は望遠端における断面図である。本ズームレンズは正の屈折力を有する第１レンズ群Ｌ１、負の屈折力を有する第２レンズ群Ｌ２、正の屈折力を有する第３レンズ群Ｌ３及び正の屈折力を有する第４レンズ群Ｌ４から構成される。また、第３レンズ群Ｌ３は正レンズと負レンズの接合レンズである第３ａレンズ群、及び正レンズの第３ｂレンズ群から成る。Ｓは開口絞り、Ｆは光学的ローパスフィルター、ＩＲカットフィルタ若しくは固体撮像素子のシールガラス等を想定した平行平板、Ｉは撮像面である。
【００７８】
図１８は実施例５のズームレンズの広角端における収差図（球面収差、非点収差、歪曲収差）、図１９は実施例５のズームレンズの中間焦点距離における収差図（球面収差、非点収差、歪曲収差）、図２０は実施例５のズームレンズの望遠端における収差図（球面収差、非点収差、歪曲収差）である。
［実施例６］
・全体諸元を以下に示す。
【００７９】
ｆ      ４．６〜１４．２〜４３．７
Ｆ      ３．４９〜４．７９〜５．８４
ｆＢ    １．００１
２ω    ８２°〜３２°〜１１°
・レンズ面データを以下に示す。
面番号         R(mm)          D(mm)          Nd          νd
１          29.388          0.70        1.903658       31.3
２          18.168          0.01
３          18.168          2.25        1.496997       81.6
４          31.850          0.20
５          19.240          3.61        1.589129       61.2
６(＊)    -163.925           d1
７        -102.448          0.70        1.903658       31.3
８           5.929          2.56
９        -313.703          0.55        1.516798       64.1
10           6.265          0.01
11           6.265          1.81        1.92286        20.8
12          17.660          d2
13(絞り)     無限          0.50
14           3.959          3.41        1.589129       61.2
15         -35.162          0.01
16         -35.162          0.50        1.92286        20.8
17          13.074          0.70
18(＊)       7.035          1.00        1.903658      31.3
19(＊)       6.661           d3
20(＊)      19.907          1.49        1.496997      81.6
21(＊)     -51.994           d4
22           無限           1.50        1.5168         64.2
23           無限            fB
・非球面係数を以下に示す。
第６面
A4=0.8279E-05,A6=0.1099E-08,A8=-0.2208E-10,A10=-0.9045E-13,A12=0.3623E-13
第18面
A4=-0.6186E-02,A6=-0.8029E-03,A8=0.1253E-04,A10=-0.7880E-05
第19面
K=0,A4=-0.3875E-02,A6=-0.7285E-03,A8=0.5481E-04
第20面
K=0,A4=-0.1085E-02,A6=0.6086E-04,A8=-0.6334E-05
第21面
K=0,A4=-0.1150E-02,A6=0.4809E-04,A8=-0.6239E-05,A10=0.5859E-07
・変倍時の各種データを以下に示す。
【００８０】
f          Fno          d1          d2          d3          d4
4.60        3.49        0.62       14.82        2.48        3.43
14.18        4.79        8.80        4.36        2.39        8.53
43.73        5.84      20.38        1.10       12.03        2.98
・レンズ群データを以下に示す。
レンズ群      始面      焦点距離(mm)
１           1          37.51
２           5          -6.72
３          11           9.52
４          18          29.08
・前述の各条件式に対応する値を以下に示す。
【００８１】
条件式（１）＝1.51
条件式（２）＝0.71
条件式（３）＝0.67
条件式（４）＝0.47
条件式（５）＝2.64
条件式（６）＝48.60
条件式（７）＝40.37
条件式（８）＝48.60
条件式（９）＝50.29
条件式（10）＝43.32
条件式（11）＝0.47
図２１は実施例６のズームレンズの断面図であり、（Ａ）は広角端における断面図、（Ｂ）は中間焦点距離における断面図、（Ｃ）は望遠端における断面図である。本ズームレンズは正の屈折力を有する第１レンズ群Ｌ１、負の屈折力を有する第２レンズ群Ｌ２、正の屈折力を有する第３レンズ群Ｌ３及び正の屈折力を有する第４レンズ群Ｌ４から構成される。また、第３レンズ群Ｌ３は正レンズと負レンズの接合レンズである第３ａレンズ群、及び正レンズの第３ｂレンズ群から成る。Ｓは開口絞り、Ｆは光学的ローパスフィルター、ＩＲカットフィルタ若しくは固体撮像素子のシールガラス等を想定した平行平板、Ｉは撮像面である。
【００８２】
図２２は実施例６のズームレンズの広角端における収差図（球面収差、非点収差、歪曲収差）、図２３は実施例６のズームレンズの中間焦点距離における収差図（球面収差、非点収差、歪曲収差）、図２４は実施例６のズームレンズの望遠端における収差図（球面収差、非点収差、歪曲収差）である。
【符号の説明】
【００８３】
Ｌ１  第１レンズ群
Ｌ２  第２レンズ群
Ｌ３  第３レンズ群
Ｌ４  第４レンズ群
Ｌ２ａ  第３ａレンズ群
Ｌ２ｂ  第３ｂレンズ群
Ｓ  絞り
Ｆ  平行平板
Ｉ  撮像面
【図１】
2012083526.tif 000004
【図２】
2012083526.tif 000005
【図３】
2012083526.tif 000006
【図４】
2012083526.tif 000007
【図５】
2012083526.tif 000008
【図６】
2012083526.tif 000009
【図７】
2012083526.tif 000010
【図８】
2012083526.tif 000011
【図９】
2012083526.tif 000012
【図１０】
2012083526.tif 000013
【図１１】
2012083526.tif 000014
【図１２】
2012083526.tif 000015
【図１３】
2012083526.tif 000016
【図１４】
2012083526.tif 000017
【図１５】
2012083526.tif 000018
【図１６】
2012083526.tif 000019
【図１７】
2012083526.tif 000020
【図１８】
2012083526.tif 000021
【図１９】
2012083526.tif 000022
【図２０】
2012083526.tif 000023
【図２１】
2012083526.tif 000024
【図２２】
2012083526.tif 000025
【図２３】
2012083526.tif 000026
【図２４】
2012083526.tif 000027